(57)【要約】      （修正有）【課題】太陽電池モジュールが下方から強風を受けても架台から外れる事態を防止することができ、また、簡易に設置することができる太陽電池モジュールの固定構造を提供する。【解決手段】太陽電池モジュールの固定構造は、太陽電池モジュール２を下方から支持する金属部材５が設けられた架台１と、太陽電池モジュール２の縁部のフレーム４に上方から当接する当接部８ｃ，９ｃが設けられた固定具８，９とを有し、金属部材５が太陽電池モジュール２を支持して当接部８ｃ，９ｃがフレーム４に当接した状態で、太陽電池モジュール２及び固定具８，９が金属部材５にボルト６及びナット７で共締めされている。【選択図】図２
0003179155.tif 000002
【実用新案登録請求の範囲】
【請求項１】
太陽電池モジュールを下方から支持する支持部材が設けられた架台と、前記太陽電池モジュールの縁部に上方から当接する当接部が設けられた固定具とを有し、前記支持部材が前記太陽電池モジュールを支持して前記当接部が前記縁部に当接した状態で、前記太陽電池モジュール及び前記固定具が前記支持部材に共締めされていることを特徴とする太陽電池モジュールの固定構造。
【考案の詳細な説明】
【技術分野】
【０００１】
本考案は、架台上に設置される太陽電池モジュールの固定構造に関する。
【背景技術】
【０００２】
太陽電池モジュールが野立て設置される場合の固定構造として、例えば図５乃至７に示すように、断面Ｌ字状等の長尺状の金属部材を組み合わせてなる架台１上に、太陽電池モジュール２をネジ止めしたものが知られている。太陽電池モジュール２は、セルが集合してなり太陽光を光電変換する太陽電池パネル３と、太陽電池パネル３の縁部に設けられた金属製のフレーム４とを備え、フレーム４が、架台１の上部に設けられた金属部材５に下方から支持された状態で、ボルト６及びナット７によりネジ止めされている。
【０００３】
また、太陽電池モジュールが屋根上に設置される場合の固定構造として、例えば特許文献１に記載のものが知られている。同文献では、横桟（４）に固定金具（１２）及び板ナット（１３）をボルト（２１）でネジ止めし、固定金具（１２）の立設板（１２ｃ）により太陽電池モジュール（５）の枠部材（７）を側方から押さえるとともに、第１留め部（１２ｆ）及び第２留め部（１２ｇ）により枠部材（７）を上方から押さえ、太陽電池モジュール（５）を固定している。
【先行技術文献】
【特許文献】
【０００４】
【特許文献１】特開２０１１−１５３４６５号公報
【考案の概要】
【考案が解決しようとする課題】
【０００５】
ところで、考案者が太陽電池モジュールの野立て設置を検討したところ、図５乃至７に示す固定構造では、太陽電池モジュールが下方から強風を受けることがあり、そのような場合にボルト及びナットだけでは固定状態を維持することができず、太陽電池モジュールが架台から外れるおそれがあることが判明した。
【０００６】
また、特許文献１に記載された固定構造では、太陽電池モジュールの固定に要する部品点数が多く、それらの組付工数も要するので、特に野立てのように簡易に設置したい場合には適していなかった。
【０００７】
本考案は、上記の事情に鑑みてなされたもので、太陽電池モジュールが下方から強風を受けても架台から外れる事態を防止することができ、また、簡易に設置することができる太陽電池モジュールの固定構造を提供することを課題としている。
【課題を解決するための手段】
【０００８】
上記課題を解決するために、請求項１に係る考案は、太陽電池モジュールを下方から支持する支持部材が設けられた架台と、前記太陽電池モジュールの縁部に上方から当接する当接部が設けられた固定具とを有し、前記支持部材が前記太陽電池モジュールを支持して前記当接部が前記縁部に当接した状態で、前記太陽電池モジュール及び前記固定具が前記支持部材に共締めされている太陽電池モジュールの固定構造を特徴とする。
【考案の効果】
【０００９】
本考案によれば、固定具の当接部が太陽電池モジュールの縁部に上方から当接した状態で太陽電池モジュールが支持部材に取り付けられるので、太陽電池モジュールが下方から強風を受けてもその浮上りを当接部が抑制し、太陽電池モジュールが架台から外れる事態が防止される。
【００１０】
また、固定具は太陽電池モジュールとともに支持部材に共締めされるので、固定具があることにより組付工数が特段増えることはなく、太陽電池モジュールが簡易に設置可能である。
【図面の簡単な説明】
【００１１】
【図１】考案を実施するための形態に係る太陽電池モジュールの固定構造を示す斜視図である。
【図２】図１のＹ−Ｙ線に沿った断面図である。
【図３】図２の４つの固定具のうち、右から１つ目と２つ目の固定具と、左から１つ目の固定具の周辺を示す拡大図である。
【図４】図１乃至３の固定具を示し、（ａ）は傾斜して並設された太陽電池モジュール群の上端又は下端に用いられる固定具の説明図、（ｂ）は傾斜して並設された太陽電池モジュール同士の間に用いられる固定具の説明図である。
【図５】従来の太陽電池モジュールの固定構造を示す斜視図である。
【図６】図５の太陽電池モジュールの裏面側を示す斜視図である。
【図７】図５のＸ−Ｘ線に沿った断面図である。
【考案を実施するための形態】
【００１２】
本考案を実施するための形態について、図面を用いて説明する。
【００１３】
図１乃至３は、本形態に係る太陽電池モジュールの固定構造を示す。この構造は、上述した図５乃至７に示す構造に対して後述する固定具を加えたものであり、その従来の構造における各要素（各部品）と共通するものには、共通の符号を付して説明する。
【００１４】
すなわち、太陽電池モジュール２は、セルが集合してなり太陽光を光電変換する太陽電池パネル３と、太陽電池パネル３の縁部に設けられた金属製のフレーム４とを備え、架台１の上部に設けられた金属部材５に固定具８，９を介して下方から支持される。本形態では、金属部材５は、断面Ｌ字状を呈し、地面に立設された長さの異なる金属部材１０，１１の上端部に架け渡されて所定の角度で傾斜している。また、太陽電池モジュール２は、金属部材５の上面５ａ上に、その長手方向に沿って３枚設置されている。
【００１５】
固定具８は、図４（ａ）に示すように、同図の左右方向に延在する板状の基部８ａと、基部８ａの中間部左寄りに起立する起立部８ｂと、起立部８ｂの上端部から右方向に延在する当接部８ｃとを備え、基部８ａには起立部８ｂを挟んで左右に円孔８ｄ，８ｅが穿設され、起立部８ｂには円孔８ｆが穿設されている。
【００１６】
固定具９は、図４（ｂ）に示すように、同図の左右方向に延在する板状の基部９ａと、基部９ａの中間部左寄りに起立する起立部９ｂと、起立部９ｂの上端部から左右方向に延在する当接部９ｃとを備え、基部９ａには起立部９ｂを挟んで左右に円孔９ｄ，９ｅが穿設され、起立部９ｂには右方向に延在するスペーサー９ｇ,９ｈが上下に並んで形成され、起立部９ｂのスペーサー９ｇ,９ｈの間には円孔９ｆが穿設されている。
【００１７】
図２において、金属部材５の右側を上流側（高い方）、左側を下流側（低い方）とすると、固定具８は、金属部材５の上面５ａの上流側端部と下流側端部に設けられ、固定具９は、それらの固定具８の間に２つ設けられている。
【００１８】
下流側の固定部８は、基部８ａが金属部材５の上面５ａ上に位置決めされ（上面５ａには、図示を略す複数の円孔が形成され、このうちの２つと円孔８ｄ，８ｅが当該位置決めにより重なり合う。）、かつ、基部８ａ上に太陽電池モジュール２のフレーム４の下流側の辺部が位置決めされた状態で（当該辺部には、図示を略す円孔が形成され、これと円孔８ｅが当該位置決めにより重なり合う。）、ボルト６及びナット７により固定されている。
【００１９】
詳しくは、円孔８ｄを下方から挿通するボルト６とこれに螺合するナット７により、固定部８が金属部材５に締結されるとともに、円孔８ｅを下方から挿通するボルト６とこれに螺合するナット７により、フレーム４及び固定部８が金属部材５に共締めされている。そして、起立部８ｂはフレーム４に下流側から当接し、当接部８ｃはフレーム４に上方から当接し、太陽電池モジュール２は円孔８ｆを挿通するネジ１２により起立部８ｂに留められている。
【００２０】
固定部９は、基部９ａが金属部材５の上面５ａ上に位置決めされ（上面５ａに形成された円孔の１つと円孔９ｅが、当該位置決めにより重なり合う。）、かつ、基部９ａ上に起立部９ｂを挟んで２つの太陽電池モジュール２のフレーム４が位置決めされた状態で（起立部９ｂの上流側に位置する太陽電池モジュール２のフレーム４の下流側の辺部に形成された円孔と円孔９ｅが、当該位置決めにより重なり合う。）、ボルト６及びナット７により固定されている。
【００２１】
つまり、起立部９ｂの下流側に位置する太陽電池モジュール２については、起立部９ｂがフレーム４に上流側から当接するとともに、当接部９ｃがフレーム４に上方から当接し、太陽電池モジュール２が円孔９ｆを挿通するネジ１２により起立部９ｂに留められている。
【００２２】
一方、起立部９ｂの上流側に位置する太陽電池モジュール２については、円孔９ｅを下方から挿通するボルト６とこれに螺合するナット７により、フレーム４及び固定部８が金属部材５に共締めされ、起立部９ｂはスペーサー９ｇ，９ｈを介してフレーム４に下流側から当接し（スペーサー９ｇ，９ｈにより、起立部９ｂとフレーム４との間に空間が確保され、円孔９ｆを挿通するネジ１２の頭部がフレーム４に当たらないようになっている。）、当接部９ｃはフレーム４に上方から当接している。
【００２３】
上流側の固定部８は、下流側の固定部８と逆向きの体勢で、基部８ａが金属部材５の上面５ａ上に位置決めされ（上面５ａに形成された円孔の１つと円孔８ｄが、当該位置決めにより重なり合う。）、かつ、基部８ａ上に太陽電池モジュール２のフレーム４の上流側の辺部が位置決めされた状態で、ボルト６及びナット７により固定されている。
【００２４】
詳細には、円孔８ｄを下方から挿通するボルト６とこれに螺合するナット７により、固定部８が金属部材５に締結され、起立部８ｂがフレーム４に上流側から当接するとともに、当接部８ｃがフレーム４に上方から当接し、太陽電池モジュール２が円孔８ｆを挿通するネジ１２により起立部８ｂに留められている。
【００２５】
この太陽電池モジュールの固定構造によれば、固定具８，９の当接部８ｃ，９ｃが太陽電池モジュール２の縁部（フレーム４）に上方から当接した状態で、太陽電池モジュール２が金属部材５に取り付けられるので、太陽電池モジュール２が下方から強風を受けてもその浮上りを当接部８ｃ，９ｃが抑制し、太陽電池モジュール２が架台１から外れる事態が防止される。
【００２６】
また、固定具８，９は太陽電池モジュール２とともに金属部材５にボルト６及びナット７で共締めされるので、固定具８，９により組付工数が特段増えることはなく（ボルト６及びナット７による締結箇所は、図５乃至７に示す構造と変わらない。）、太陽電池モジュール２が簡易に設置可能である。
【００２７】
なお、本考案の実施形態は上述したものに限られず、本考案の趣旨を逸脱しない範囲で適宜変更等してもよい。
【００２８】
例えば、固定具は、図１乃至３で未使用の円孔にボルトを挿通して使用してよいことはもちろんのこと、当接部さえ有していれば、その形状はどのようなものでもかまわない。また、架台は金属部材による骨組構造でなくてもよく、太陽電池モジュールの枚数やボルト、ナットやネジの数等も図１乃至３に示すものに限られない。
【産業上の利用可能性】
【００２９】
本考案は、太陽電池モジュールを野立て設置する場合や建物の屋根上に設置する場合等に利用することができる。
【符号の説明】
【００３０】
１    架台
２    太陽電池モジュール
４    フレーム
５    金属部材（支持部材）
６    ボルト
７    ナット
８    固定具
８ｃ  当接部
９    固定具
９ｃ  当接部
【図１】
0003179155.tif 000003
【図２】
0003179155.tif 000004
【図３】
0003179155.tif 000005
【図４】
0003179155.tif 000006
【図５】
0003179155.tif 000007
【図６】
0003179155.tif 000008
【図７】
0003179155.tif 000009